(57)【要約】【課題】組合せ式園芸用装置の提供。【解決手段】一端に少なくとも一つの係止溝を具えた第１側板と、一端に少なくとも一つのフレキシブルな係止板を具えた第２側板とを包含し、該第１側板と該第２側板が接続可能であり、必要に応じて該第１側板と該第２側板の間が特定角度を形成するように組合せられる。【選択図】図１
0003139466.tif 000002
【実用新案登録請求の範囲】
【請求項１】
組合せ式園芸用装置において、
一端に少なくとも一つの係止溝を具えた第１側板と、
一端に少なくとも一つの係止板を具えた第２側板と、
をを包含し、該第１側板と該第２側板が接続可能であり、必要に応じて該第１側板と該第２側板の間が特定角度を形成可能であることを特徴とする、組合せ式園芸用装置。
【請求項２】
請求項１記載の組合せ式園芸用装置において、更に少なくとも一つの底板を包含し得て、該底板は第１接続キーを具え、該第１接続キーにより該第１側板或いは該第２側板の第２接続キーと結合されることを特徴とする、組合せ式園芸用装置。
【請求項３】
請求項２記載の組合せ式園芸用装置において、該第１接続キーが凸柱とされ、該第２接続キーが凹孔とされたことを特徴とする、組合せ式園芸用装置。
【請求項４】
請求項２記載の組合せ式園芸用装置において、該第１接続キーが凹孔とされ、該第２接続キーが凸柱とされたことを特徴とする、組合せ式園芸用装置。
【請求項５】
請求項１記載の組合せ式園芸用装置において、該第１側板の別端に少なくとも一つの係止板を具え、該第２側板の別端に少なくとも一つの係止溝を具えたことを特徴とする、組合せ式園芸用装置。
【請求項６】
請求項１記載の組合せ式園芸用装置において、該第１側板の一側に少なくとも一つの孔があり、該孔に支持架を挿入可能であることを特徴とする、組合せ式園芸用装置。
【請求項７】
請求項１記載の組合せ式園芸用装置において、該第２側板の一側に少なくとも一つの孔があり、該孔に支持架を挿入可能であることを特徴とする、組合せ式園芸用装置。
【請求項８】
組合せ式園芸用装置において、
第１側板本体であって、係止溝と係止板を具え、該係止溝が該第１側板本体の一端に位置し、該係止板が該第１側板本体の別端に位置する、上記第１側板本体と、
第２側板本体であって、係止溝と係止板を具え、該第２側板本体の該係止溝が該第２側板本体の一端に位置し、該第２側板本体の該係止板が該第２側板本体の別端に位置する、上記第２側板本体と、
を包含し、該第１側板本体の係止板が該第２側板本体の係止溝と結合されて園芸用棚を形成することを特徴とする、組合せ式園芸用装置。
【請求項９】
組合せ式園芸用装置において、
第１係止溝を具えた第１板体と、
第１係止ストリップを具えた第２板体と、
第２係止溝及び第２係止ストリップを具えた第１係止突起と、
を包含し、該第２係止ストリップが該第１板体の該第１係止溝と結合可能で、該第２係止溝が該第２板体の該第１係止ストリップと結合可能で、組合せにより棚構造を形成する、組合せ式園芸用装置。
【請求項１０】
図９記載の組合せ式園芸用装置において、更に二つの係止溝と一つの係止ストリップを具えた第２係止突起と、一つの係止溝と二つの係止ストリップを具えた第３係止突起を包含したことを特徴とする、組合せ式園芸用装置。
【考案の詳細な説明】
【技術分野】
【０００１】
本考案は一種の組合せ式園芸用ブロックに係り、係止溝、接続用突起、及びフレキシブル係止板の組合せにより囲い或いは棚を構成できる組合せ式園芸用装置に関する。
【背景技術】
【０００２】
現代人の都会生活は忙しく、早朝に家を出て遅く帰り、自然と接触する時間をとりにくい。このため人によっては家のなかの使用可能な空間、例えば屋上、ベランダ、テラス、玄関先或いは室内の空いた部分に植木鉢やプランターを置いて、園芸生活を楽しんでいる。
【考案の開示】
【考案が解決しようとする課題】
【０００３】
周知の園芸施設は植木鉢を用いるか或いはブロックとコンクリートで囲んだなかに土を入れ、植物を栽培する。ブロック或いはコンクリートを使用するには専門家による施工とメンテナンスが必要で、施工時間が長く、コストも高くつき、相当に不経済である。植木鉢は多くの場合、ただ一種類の植物を栽培できるだけで、多くの異なる種類の植物を育てる要求には対応できない。
【０００４】
このため、使用に便利で、弾性的に異なるサイズに応じて組み立てて異なる植物等を栽培できる園芸用ブロックが求められている。
【課題を解決するための手段】
【０００５】
本考案の組合せ式園芸用装置は、
一端に少なくとも一つの係止溝を具えた第１側板と、
一端に少なくとも一つの係止板を具えた第２側板と、
をを包含し、該第１側板と該第２側板が接続可能であり、必要に応じて該第１側板と該第２側板の間が特定角度を形成するように組合せられる。
【０００６】
上述の組合せ式園芸用装置は更に少なくとも一つの底板を包含し得て、該底板は第１接続キーを具え、それにより該第１側板或いは該第２側板の第２接続キーと結合される。
【０００７】
上述の組合せ式園芸用装置は、そのうち該第１接続キーが凸柱とされ、該第２接続キーが凹孔とされ得る。
【０００８】
上述の組合せ式園芸用装置は、そのうち該第１接続キーが凹孔とされ、該第２接続キーが凸柱とされ得る。
【０００９】
上述の組合せ式園芸用装置は、該第１側板の別端に少なくとも一つの係止板を具え、該第２側板の別端に少なくとも一つの係止溝を有し得る。
【００１０】
上述の組合せ式園芸用装置は、そのうち該第１側板の一側に少なくとも一つの孔があり、該孔に支持架を挿入可能である。
【００１１】
上述の組合せ式園芸用装置は、そのうち該第２側板の一側に少なくとも一つの孔があり、該孔に支持架を挿入可能である。
【考案の効果】
【００１２】
本考案の組合せ式園芸用装置は単一形態の側板を組み合わせて各種形状のブロックとなし、更に土を入れて植物を栽培することができ、製造コストが低く、組立が容易である。また、拡充して階段状構造を構成して、根の深い植物を栽培することもできる。
【考案を実施するための最良の形態】
【００１３】
図１は本考案の組合せ式園芸用装置の側板表示図であり、それは、側板１１、係止溝１２、係止板１３を包含する。該係止溝１２に二つの円凹部１２１が設けられ、係止板１３は円柱部１３１及び可撓部１３２を具備する。該係止溝１２上の二つの円凹部１２１はもう一つの側板の円柱部との接続に用いられる。同様に、係止板１３上の円柱部１３１はもう一つの側板の円凹部との接続に用いられる。また、係止板１３の可撓部１３２は湾曲可能で、複数の側板が一つに結合される時、各種の形状、例えば４つの側板で囲んで四角形のブロックを形成可能である。
【００１４】
図２は本考案の好ましい実施例の組合せ式園芸用装置を組み合わせて四角形ブロックとした表示図である。図から分かるように、各側板２１の係止板はいずれも別の側板の係止溝２３と結合される。可撓部１３２は形状に応じて湾曲する。同様に、その他の形状に組み合わせる場合も、使用者は必要に応じて必要数量を側板を組み合わせて必要な形式を構成し、園芸の楽しみを享受することができる。
【００１５】
図３は本考案の好ましい実施例の組合せ式園芸用装置の変更設計表示図である。それは側板３１及び凹孔３２を包含する。該側板３１の凹孔３２は底板の凸柱との結合に供されてそれを固定する。当然、凸柱を側板に、凹孔を底板に設けることも可能である。その数量は必要に応じて定められ、更に多くの凹孔を設けることも、２列以上の凹孔を設けることも可能である。
【００１６】
図４は本考案の実施例の組合せ式園芸用装置の底板増設の表示図である。それは底板４１、側板４２、凹孔４３を包含する。底板４１は二つの側板の間に固定される。こうして、二つの側板４２の結合が更に強固とされる。当然、底板に凸柱（図示せず）を設けて凹孔４３と結合させられる。
【００１７】
図５は本考案の実施例の組合せ式園芸用装置の支持架増設の表示図である。それは側板５１、凹孔５２、及び支持架５３を包含する。植物によっては支持架５３を必要とするため、側板５１に若干の凹孔５２を設けて、支持架５３を挿入することで、各種の藤類の植物を栽培するか或いは日除けスクリーンを架設できる。
【００１８】
図６は本考案の実施例の組合せ式園芸用装置の別の設計表示図である。板体６１は係止溝６１１と係止ストリップ６１２を具えている。係止突起６２も係止溝６２１と係止ストリップ６２２を具備する。係止突起６２の係止ストリップ６１２は板体６１の係止溝６１１に結合可能であり、係止突起６２の係止溝６２１は別の板体の係止ストリップ６１２と結合可能であり、四つの板体及び四つの係止突起を利用して四角形の棚構造を形成できる。係止突起６２の設計を利用し、棚構造の角部は比較的安全で外観がよいものとされる。
【００１９】
図７は図６の拡充表示図である。１０個の板体７１、４個の第１係止突起７２、一個の第２係止突起７３及び一つの第３係止突起７４を利用し、二つのブロックを具えた棚構造を構成している。そのうち、各板体７１はそれぞれ係止溝７１１及び係止ストリップ７１２を包含する。第１係止突起７２もまた係止溝７２１と係止ストリップ７２２を包含し、第２係止突起７３もまた二つの係止溝と一つの係止ストリップを包含し、第３係止突起７４は一つの係止溝と二つの係止ストリップを包含する。
【００２０】
図８は本考案の実施例の棚構造を階段状に積み上げた構造の側面図である。図７の棚構造の組合せにより、棚構造を階段状に積み上げた構造が形成され、並びにそれは第１ブロック８１、第２ブロック８２、及び第３ブロック８３に分けられ異なる植物を栽培するのに供される。第１ブロック８１は根の浅い植物を、第３ブロック８３は根の深い植物を栽培できる。
【００２１】
総合すると、本考案の組合せ式園芸用装置は、単一形態の側板に設計の変更を加え、組立に便利で、且つ製造コストが低く、相当に市場での競争力を具備している。それは簡単な設計の変更が可能であり、例えばサイズ比、外観形状、材質等を変更でき、いずれも本考案の請求範囲に属する。
【図面の簡単な説明】
【００２２】
【図１】本考案の組合せ式園芸用装置の側板表示図である。
【図２】本考案の好ましい実施例の組合せ式園芸用装置を組み合わせて四角形ブロックとした表示図である。
【図３】本考案の好ましい実施例の組合せ式園芸用装置の変更設計表示図である。
【図４】本考案の実施例の組合せ式園芸用装置の底板増設の表示図である。
【図５】本考案の実施例の組合せ式園芸用装置の支持架増設の表示図である。
【図６】本考案の実施例の組合せ式園芸用装置の別の設計表示図である。
【図７】図６の拡充表示図である。
【図８】本考案の実施例の棚構造を階段状に積み上げた構造の側面図である。
【符号の説明】
【００２３】
１１  側板              １２  係止溝          １３  係止板
１２１  円凹部          １３１  円柱部        １３２  可撓部
２１  側板              ２３  係止溝          ２２  可撓部
３１  側板              ３２  凹孔            ４１  底板
４２  側板              ４３  凹孔            ５１  側板
５２  凹孔              ５３  支持架          ６１  板体
６１１、６２１  係止溝        ６１２、６２２  係止ストリップ
６２  係止突起                ７１  板体      ７２  第１係止突起
７３  第２係止突起            ７４  第３係止突起
７１１、７２１  係止溝        ７１２、７２２  係止ストリップ
【図１】
0003139466.tif 000003
【図２】
0003139466.tif 000004
【図３】
0003139466.tif 000005
【図４】
0003139466.tif 000006
【図５】
0003139466.tif 000007
【図６】
0003139466.tif 000008
【図７】
0003139466.tif 000009
【図８】
0003139466.tif 000010
【手続補正書】
【提出日】平成19年11月29日(2007.11.29)
【手続補正１】
【補正対象書類名】実用新案登録請求の範囲
【補正対象項目名】請求項１０
【補正方法】変更
【補正の内容】
【請求項１０】
請求項９記載の組合せ式園芸用装置において、更に二つの係止溝と一つの係止ストリップを具えた第２係止突起と、一つの係止溝と二つの係止ストリップを具えた第３係止突起を包含したことを特徴とする、組合せ式園芸用装置。